(57)【特許請求の範囲】
【請求項１】
空気を室内空間に吹き出す複数の吹出口を有する室内機を備え、可燃性冷媒が使用される空気調和機であって、
前記複数の吹出口にそれぞれ向かう流路の少なくとも１つに配置され、当該流路の開口
面積を調整する調整機構と、
前記室内機に配置される冷媒ガス検出センサと、
前記調整機構を制御する制御手段とを備え、
前記制御手段は、前記複数の吹出口のうちの一部の第１吹出口に向かう流路の開口面積が小さく制限されることにより第１風量の空気が吹き出される第１吹出口と、第１風量より大きい第２風量の空気が吹き出される第２吹出口とを有する運転状態において、前記冷媒ガス検出センサにより冷媒ガスが検出されたときに、前記一部の第１吹出口の少なくとも１つの吹出口に向かう流路の開口面積を大きくするように制御することを特徴とする空気調和機。
【請求項２】
前記制御手段は、前記冷媒ガス検出センサにより冷媒ガスが検出されたときに、前記一
部の第１吹出口の少なくとも１つ以外の吹出口における風量を増加させることを特徴とする請求項１に記載の空気調和機。
【請求項３】
前記制御手段は、前記冷媒ガス検出センサにより冷媒ガスが検出されたときに、前記一
部の第１吹出口の少なくとも１つ以外の吹出口における風向を下方に変更することを特徴とする請求項１または２に記載の空気調和機。
【請求項４】
前記複数の吹出口は、ケーシングの上端部に配置された上側吹出口と、前記上側吹出口
より下方に配置された下側吹出口とを含んでおり、
前記制御手段は、前記下側吹出口に向かう流路の開口面積が小さく制限された運転状態
において、前記冷媒ガス検出センサにより冷媒ガスが検出されたときに、前記下側吹出口
に向かう流路の開口面積を大きくするように制御することを特徴とする請求項１−３のい
ずれかに記載の空気調和機。
【請求項５】
前記室内機は、床置き型の室内機であることを特徴とする請求項１−４のいずれかに記載
の空気調和機。
【発明の詳細な説明】
【技術分野】
【０００１】
本発明は、可燃性冷媒が使用される空気調和機に関する。
【０００２】
従来から、可燃性冷媒が使用される空気調和機において、空気調和機の室内機に冷媒ガ
ス検出センサが取り付けられたものが知られている。
【先行技術文献】
【特許文献】
【０００３】
【特許文献１】特開２０１２−１３３４８号公報
【発明の概要】
【発明が解決しようとする課題】
【０００４】
空気調和機の室内機として、吸込口と、複数の吹出口とを有し、吸込口から吸い込まれ
た空気は複数の吹出口から室内に吹き出されるものがある。このような室内機では、複数
の吹出口のうちの一部の吹出口が閉塞された状態（吹出口に向かう流路の開口面積が小さ
く制限された状態）で運転されることがあり、この運転では、閉塞されてない他の吹出口
だけから空気を吹き出される。例えば、室内機の上端近くに配置された上側吹出口と、下
端近くに配置された下側吹出口とを有する空気調和機において、下側吹出口が閉塞された
状態で運転されることがあり、この運転では、閉塞されてない上側吹出口だけから空気を
吹き出される。このように、一部の吹出口が閉塞された状態で運転されているときに、室
内機において冷媒ガスが漏れた場合、その漏れた冷媒ガスが室内空間のある部分に局所的
に滞留する問題がある。
【０００５】
そこで、本発明の目的は、室内機において冷媒ガスが漏れた場合に、その漏れた冷媒ガ
スが室内空間のある部分に局所的に滞留するのを防止できる空気調和機を提供することで
ある。
【課題を解決するための手段】
【０００６】
第１の発明にかかる空気調和機は、空気を室内空間に吹き出す複数の吹出口を有する室内機を備え、可燃性冷媒が使用される空気調和機であって、前記複数の吹出口にそれぞれ向かう流路の少なくとも１つに配置され、当該流路の開口面積を調整する調整機構と、前記室内機に配置される冷媒ガス検出センサと、前記調整機構を制御する制御手段とを備え、前記制御手段は、前記複数の吹出口のうちの一部の第１吹出口に向かう流路の開口面積が小さく制限されることにより第１風量の空気が吹き出される第１吹出口と、第１風量より大きい第２風量の空気が吹き出される第２吹出口とを有する運転状態において、前記冷媒ガス検出センサにより冷媒ガスが検出されたときに、前記一部の第１吹出口の少なくとも１つの吹出口に向かう流路の開口面積を大きくするように制御することを特徴とする。
【０００７】
この空気調和機では、複数の吹出口のうちの一部の吹出口に向かう流路の開口面積が小
さく制限された状態で運転されているときに、室内機において冷媒ガスが漏れた場合、そ
の一部の吹出口の少なくとも１つの吹出口に向かう流路の開口面積が広げられるので、漏
れた冷媒ガスが室内空間のある部分に局所的に滞留するのを防止できる。
【０００８】
第２の発明にかかる空気調和機は、第１の発明にかかる空気調和機において、前記制御
手段は、前記冷媒ガス検出センサにより冷媒ガスが検出されたときに、前記一部の第１吹出口の少なくとも１つ以外の吹出口における風量を増加させることを特徴とする。
【０００９】
この空気調和機では、複数の吹出口のうちの一部の吹出口に向かう流路の開口面積が小
さく制限された状態で運転されているときに、室内機において冷媒ガスが漏れた場合、そ
の一部の吹出口の少なくとも１つ以外の吹出口における風量が増加されるので、漏れた冷
媒ガスが室内空間のある部分に局所的に滞留するのを効果的に防止できる。
【００１０】
第３の発明にかかる空気調和機は、第１または第２の発明にかかる空気調和機において
、前記制御手段は、前記冷媒ガス検出センサにより冷媒ガスが検出されたときに、前記一
部の第１吹出口の少なくとも１つ以外の吹出口における風向を下方に変更することを特徴とする。
【００１１】
この空気調和機では、複数の吹出口のうちの一部の吹出口に向かう流路の開口面積が小
さく制限された状態で運転されているときに、室内機において冷媒ガスが漏れた場合、そ
の一部の吹出口以外の吹出口における風向が下方に変更されるので、漏れた冷媒ガスが室
内空間の床付近に局所的に滞留するのを効果的に防止できる。
【００１２】
第４の発明にかかる空気調和機は、第１−第３のいずれかの発明にかかる空気調和機に
おいて、  前記複数の吹出口は、ケーシングの上端部に配置された上側吹出口と、前記上
側吹出口より下方に配置された下側吹出口とを含んでおり、前記制御手段は、前記下側吹
出口に向かう流路の開口面積が小さく制限された運転状態において、前記冷媒ガス検出セ
ンサにより冷媒ガスが検出されたときに、前記下側吹出口に向かう流路の開口面積を大き
くするように制御することを特徴とする。
【００１３】
この空気調和機では、上側吹出口と下側吹出口のうちの下側吹出口に向かう流路の開口
面積が小さく制限された状態で運転されているときに、室内機において冷媒ガスが漏れた
場合、その下側吹出口に向かう流路の開口面積が広げられるので、漏れた冷媒ガスが室内
空間の床付近に局所的に滞留するのを効果的に防止できる。
【００１４】
第５の発明にかかる空気調和機は、第１−第４のいずれかの発明にかかる空気調和機に
おいて、前記室内機は、床置き型の室内機であることを特徴とする。
【００１５】
この空気調和機は、漏れた冷媒ガスが室内空間の床付近に局所的に滞留するのを防止で
きる床置き型の室内機を有している。
【発明の効果】
【００１６】
以上の説明に述べたように、本発明によれば、以下の効果が得られる。
【００１７】
第１の発明では、複数の吹出口のうちの一部の吹出口に向かう流路の開口面積が小さく
制限された状態で運転されているときに、室内機において冷媒ガスが漏れた場合、その一
部の吹出口の少なくとも１つの吹出口に向かう流路の開口面積が広げられるので、漏れた
冷媒ガスが室内空間のある部分に局所的に滞留するのを防止できる。
【００１８】
第２の発明では、複数の吹出口のうちの一部の吹出口に向かう流路の開口面積が小さく
制限された状態で運転されているときに、室内機において冷媒ガスが漏れた場合、その一
部の吹出口の少なくとも１つ以外の吹出口における風量が増加されるので、漏れた冷媒ガ
スが室内空間のある部分に局所的に滞留するのを効果的に防止できる。
【００１９】
第３の発明では、複数の吹出口のうちの一部の吹出口に向かう流路の開口面積が小さく
制限された状態で運転されているときに、室内機において冷媒ガスが漏れた場合、その一
部の吹出口以外の吹出口における風向が下方に変更されるので、漏れた冷媒ガスが室内空
間の床付近に局所的に滞留するのを効果的に防止できる。
【００２０】
第４の発明では、上側吹出口と下側吹出口のうちの下側吹出口に向かう流路の開口面積
が小さく制限された状態で運転されているときに、室内機において冷媒ガスが漏れた場合
、その下側吹出口に向かう流路の開口面積が広げられるので、漏れた冷媒ガスが室内空間
の床付近に局所的に滞留するのを効果的に防止できる。
【００２１】
第５の発明では、漏れた冷媒ガスが室内空間の床付近に局所的に滞留するのを防止でき
る床置き型の室内機を有している。
【図面の簡単な説明】
【００２２】
【図１】本発明の実施の形態にかかる空気調和機の冷媒回路を示す回路図である。
【図２】図１に示す室内機の斜視図である。
【図３】室内機の正面図である。
【図４】図３に示すIV-IV線断面図である。
【図５】図３に示すV-V線断面図である。
【図６】室内機から前面パネルを取り外したときの斜視図である。
【図７】室内機の制御ブロックを示す図である。
【図８】冷媒ガスの漏れが検出されたときの動作を説明する図である。
【発明を実施するための形態】
【００２３】
以下、図面を参照しつつ本発明に係る空気調和機の実施の形態について説明する。
【００２４】
［空気調和機の全体構成］
図１に示すように、本実施形態の空気調和機は、圧縮機１と、圧縮機１の吐出側が一端
に接続された四路切換弁２と、四路切換弁２の他端に一端が接続された室外熱交換器３と
、室外熱交換器３の他端に一端が接続された電動膨張弁４と、電動膨張弁４の他端に閉鎖
弁１２、連絡配管Ｌ１を介して一端が接続された室内熱交換器５と、室内熱交換器５の他
端に閉鎖弁１３、連絡配管Ｌ２、四路切換弁２を介して一端が接続され、他端が圧縮機１
の吸入側に接続されたアキュムレータ６とを備えている。上記の圧縮機１、四路切換弁２
、室外熱交換器３、電動膨張弁４、室内熱交換器５およびアキュムレータ６で冷媒回路が
構成されている。
【００２５】
また、この空気調和機は、室外熱交換器３の近傍に配置された室外ファン７と、室内熱
交換器５の近傍に配置された室内ファン８とを備えている。上記の圧縮機１、四路切換弁
２、室外熱交換器３、電動膨張弁４、アキュムレータ６、及び室外ファン７は、室外機１
０に配置され、室内熱交換器５、及び室内ファン８は、室内機２０に配置されている。
【００２６】
この空気調和機では、暖房運転時、四路切換弁２を実線の切換え位置に切り換えて、圧
縮機１を起動すると、圧縮機１から吐出された高圧冷媒が四路切換弁２を通って室内熱交
換器５に入る。そして、室内熱交換器５で凝縮した冷媒は、電動膨張弁４で減圧された後
に室外熱交換器３に入る。室外熱交換器３で蒸発した冷媒が四路切換弁２およびアキュム
レータ６を介して圧縮機１の吸入側に戻る。こうして、圧縮機１、室内熱交換器５、電動
膨張弁４、室外熱交換器３およびアキュムレータ６で構成された冷媒回路を冷媒が循環し
て、冷凍サイクルを実行する。そして、室内ファン８により室内熱交換器５を介して室内
空気を循環させることにより室内を暖房する。
【００２７】
これに対して、冷房運転時（除湿運転時を含む）は、四路切換弁２を点線の切換え位置
に切り換えて、圧縮機１を起動すると、圧縮機１から吐出された高圧冷媒が四路切換弁２
を通って室外熱交換器３に入る。そして、室外熱交換器３で凝縮した冷媒は、電動膨張弁
４で減圧された後に室内熱交換器５に入る。室内熱交換器５で蒸発した冷媒が四路切換弁
２およびアキュムレータ６を介して圧縮機１の吸入側に戻る。こうして、圧縮機１、室外
熱交換器３、電動膨張弁４、室内熱交換器５およびアキュムレータ６の順に冷媒が循環す
る冷凍サイクルを実行する。そして、室内ファン８により室内熱交換器５を介して室内空
気を循環させることにより室内を冷房する。
【００２８】
この空気調和機では、可燃性冷媒が使用される。本発明において「可燃性冷媒」とは、
可燃性冷媒のほか微燃性冷媒を含む。この空気調和機では、微燃性冷媒であるＲ３２が用
いられるが、例えばＲ２９０が用いられてもよい。また、この空気調和機では、空気より
も比重が大きい冷媒が使用される。
【００２９】
［室内機］
図２−図４に示すように、室内機２０は、床置き型の室内機であって、室内の壁面に後
面側が取り付けられる略長方形状の底フレーム２１と、底フレーム２１の前面側に取り付
けられ、前面に略長方形状の開口部２２ｃを有する前面グリル２２と、前面グリル２２の
開口部２２ｃを覆うように取り付けられた前面パネル２３とを備えている。この底フレー
ム２１、前面グリル２２、及び前面パネル２３により、ケーシング２０ａが形成されてい
る。
【００３０】
前面グリル２２の上部には、上側吹出口２２ａが設けられ、前面グリル２２の下部には
、下側吹出口２２ｂが設けられている。上側吹出口２２ａに連通する上側吹き出し通路Ｐ
１には、上下方向について上側吹出口２２ａから吹き出される空気流の風向を変更する上
下フラップ２４が設けられている。上下フラップ２４には、フラップモータ２４ａ（図７
参照）が接続されている。上下フラップ２４は、フラップモータ２４ａの駆動により、水
平方向に沿った回転軸の周りを回動可能である。この上下フラップ２４は、冷房運転およ
び暖房運転時には、図４に示す上下風向制御範囲において回動して、上側吹出口２２ａか
ら冷風または温風を前方かつ斜め上方に吹き出す。また、運転停止時は、図２に示すよう
に、上側吹出口２２ａを閉じる。
【００３１】
一方、下側吹出口２２ｂに連通する下側吹き出し通路Ｐ２内には、下側吹出口２２ｂを
開閉するシャッター３０と、左右方向について下側吹出口２２ｂから吹き出される空気流
の風向を変更する左右フラップ３１が配置されている。シャッター３０には、シャッター
モータ３０ｂが接続されている。シャッター３０は、シャッターモータ３０ｂの駆動によ
り、図４に示すように、水平方向に沿った軸３０ａを中心に回動する。このシャッター３
０は、一点鎖線で示すＡの位置で停止して、下側吹出口２２ｂを開き、一点鎖線で示すＢ
の位置で停止して、下側吹出口２２ｂを閉じる。なお、左右フラップ３１は、手動でフラ
ップの向きが調整されるものである。
【００３２】
また、上記前面パネル２３の上側には、上側吸込口２３ａが設けられ、前面パネル２３
の下側には、下側吸込口２３ｂが設けられ、さらに前面パネル２３の左右の側面には、側
方吸込口２３ｃ（図２では右側のみを示す）が設けられている。
【００３３】
図４に示すように、底フレーム２１の略中央には、ファンモータ２６が固定されている
。このファンモータ２６の軸が接続された室内ファン８が、軸が前後方向になるように底
フレーム２１に配置されている。室内ファン８は、前面側から吸い込んだ空気を軸に対し
て半径方向外側に吹き出すターボファンである。また、底フレーム２１は、室内ファン８
の前面側に形成されたベルマウス２７を有している。そして、ベルマウス２７の前面側に
室内熱交換器５が配置され、その室内熱交換器５の前面側に前面グリル２２が取り付けら
れる。また、その前面グリル２２のさらに前面側に前面パネル２３が取り付けられる。前
面グリル２２の開口部２２ｃには、フィルタ２５が取り付けられている。
【００３４】
この空気調和機では、運転が開始されると、ファンモータ２６が駆動して、室内ファン
８が回転する。そして、室内ファン８の回転によって、上側吸込口２３ａ、下側吸込口２
３ｂ、及び側方吸込口２３ｃから室内機２０の内部に室内空気が吸い込まれて、室内機２
０の内部に吸い込まれた室内空気は、室内熱交換器５で熱交換された後、上側吹出口２２
ａおよび下側吹出口２２ｂから室内に吹き出される。なお、シャッター３０が、下側吹出
口２２ｂを閉じている場合には、室内機２０の内部に吸い込まれた室内空気は、上側吹出
口２２ａのみから吹き出される。
【００３５】
このように、本実施形態の空気調和機では、シャッター３０により下側吹出口２２ｂに
向かう流路を開いて、下側吹出口２２ｂから風が吹き出される吹出可能状態とすることが
可能であるとともに、シャッター３０により下側吹出口２２ｂに向かう流路を閉じて、下
側吹出口２２ｂから風が吹き出されない吹出不可能状態とすることが可能である。したが
って、シャッター３０は、下側吹出口２２ｂに向かう流路に配置され、下側吹出口２２ｂ
に向かう流路の開口面積を調整する調整機構として機能するものであって、下側吹出口２
２ｂから風が吹き出される吹出可能状態と、下側吹出口２２ｂから風が吹き出されない吹
出不可能状態とを切り換えるものである。本発明において、下側吹出口２２ｂが吹出不可
能状態であるときの下側吹出口２２ｂに向かう流路の開口面積は０と考えられ、下側吹出
口２２ｂが吹出不可能状態から吹出可能状態に切り換えられたとき、下側吹出口２２ｂの
開口面積は広げられることにより０より大きくなると考えられる。よって、本実施形態の
空気調和機では、上側吹出口２２ａおよび下側吹出口２２ｂから風が吹き出される運転状
態と、上側吹出口２２ａだけから風が吹き出される運転状態（下側吹出口２２ｂから風が
吹き出されない運転状態）とのいずれかを取り得る。
【００３６】
図５、図６に示すように、室内熱交換器５の下方には、室内熱交換器５で生じた空気中
からの凝縮水を受け取って排水するためのドレンパン２８が配置されている。また、室内
熱交換器５の右外側（長手方向外側）、かつ上方には、電装品箱５０が配置されている。
電装品箱５０の下方には、冷媒ガス検出センサ９が着脱可能に取り付けられている。この
冷媒ガス検出センサ９は、室内熱交換器５及びドレンパン２８の右外側（長手方向外側）
に配置される。
【００３７】
この空気調和機では、万一、室内熱交換器５内の冷媒配管が破損するなどして、冷媒ガ
スが漏洩した場合、空気より比重の大きい冷媒ガスは下方に流れて、ドレンパン２８に達
する。ドレンパン２８に達した冷媒ガスは、ドレンパン２８の左端側から右端側に向かっ
て流れるため、ドレンパン２８に達した冷媒ガスは、長手方向について冷媒ガス検出セン
サ９側において、ドレンパン２８から溢れやすい。溢れた冷媒ガスは、室内機２０の底に
滞留し、室内機２０から外部に漏洩する。
【００３８】
（電装品箱）
電装品箱５０には、制御部５１が収納されており、空気調和機の冷暖房運転等に必要な
各構成部品の制御を行う。この制御部５１には、図７に示すように、ファンモータ２６、
冷媒ガス検出センサ９、フラップモータ２４ａ、シャッターモータ３０ｂが接続されてお
り、室内ファン８、上下フラップ２４、シャッター３０の制御を行ったり、冷媒ガス検出
センサ９で検出された冷媒ガスの検出結果に基づいて、冷媒漏れの有無を判断したりする
。
【００３９】
（冷媒ガス検出センサ）
冷媒ガス検出センサ９は、漏洩した冷媒ガスを検出するセンサであり、図５に示すよう
に、ドレンパン２８と同じ高さ又はドレンパン２８より下方に配置されている。また、ド
レンパン２８の右外側（長手方向外側）かつドレンパン２８及び室内熱交換器５よりも奥
（後方）に配置されている。
【００４０】
本実施形態の空気調和機において冷媒ガスの漏れが検出されたときの動作について、図８
に基づいて説明する。
【００４１】
まず、冷媒ガス検出センサ９で検出された冷媒ガスの検出結果に基づいて、冷媒漏れの
有無が繰り返し判断される（ステップＳ１）。冷媒漏れが検出されたと判断されると（Ｓ
１：ＹＥＳ）、上側吹出口２２ａだけから風が吹き出される運転状態（下側吹出口２２ｂ
から風が吹き出されない運転状態）であるか否かが判断される（ステップＳ２）。
【００４２】
上側吹出口２２ａだけから風が吹き出される運転状態であると判断されると（Ｓ２：ＹＥ
Ｓ）、シャッター３０を移動させるように、フラップモータ２４ａが制御される。したが
って、下側吹出口２２ｂが、下側吹出口２２ｂから風が吹き出されない吹出不可能状態か
ら、下側吹出口２２ｂから風が吹き出される吹出可能状態に切り換えられる（ステップＳ
３）。よって、空気調和機は、上側吹出口２２ａおよび下側吹出口２２ｂから風が吹き出
される運転状態となる。
【００４３】
このとき、上側吹出口２２ａにおける風量が、冷媒漏れ有りと判断される前の風量より
増加するように、室内ファン８が接続されたファンモータ２６の回転数が増加するように
制御される（ステップＳ４）。さらに、上側吹出口２２ａにおける風向が、冷媒漏れ有り
と判断される前の風向より下方になるように、上下フラップ２４が接続されたフラップモ
ータ２４ａが、上下フラップ２４がそのときの風向より下方に変更されるように制御され
る（ステップＳ５）。
【００４４】
［本実施形態の空気調和機の特徴］
本実施形態の空気調和機には、以下の特徴がある。
【００４５】
本実施形態の空気調和機では、上側吹出口２２ａと下側吹出口２２ｂのうちの下側吹出
口２２ｂが閉塞された状態で運転されているときに、室内機において冷媒ガスが漏れた場
合、その下側吹出口２２ｂが閉塞された状態から閉塞されない状態に切り換わるので、漏
れた冷媒ガスが室内空間の床付近に局所的に滞留するのを効果的に防止できる。
【００４６】
本実施形態の空気調和機では、上側吹出口２２ａと下側吹出口２２ｂのうちの下側吹出
口２２ｂが閉塞された状態で運転されているときに、室内機において冷媒ガスが漏れた場
合、上側吹出口２２ａにおける風量が増加されるので、漏れた冷媒ガスが室内空間のある
部分に局所的に滞留するのを効果的に防止できる。
【００４７】
本実施形態の空気調和機では、上側吹出口２２ａと下側吹出口２２ｂのうちの下側吹出
口２２ｂが閉塞された状態で運転されているときに、室内機において冷媒ガスが漏れた場
合、上側吹出口２２ａにおける風向が下方に変更されるので、漏れた冷媒ガスが室内空間
の床付近に局所的に滞留するのを効果的に防止できる。
【００４８】
以上、本発明の実施形態について図面に基づいて説明したが、具体的な構成は、これら
の実施形態に限定されるものでないと考えられるべきである。本発明の範囲は、上記した
実施形態の説明ではなく特許請求の範囲によって示され、さらに特許請求の範囲と均等の
意味及び範囲内でのすべての変更が含まれる。
【００４９】
上記実施形態では、２つの吹出口を有する室内機を備える空気調和機であって、２つの
吹出口のうちの一方の吹出口が閉塞された運転状態において、冷媒ガス漏れが検出された
ときに、その一方の吹出口が閉塞された状態から閉塞されない状態に切り換えられる場合
を説明したが、室内機の吹出口の数は変更してよい。したがって、複数の吹出口を有する
室内機を備える空気調和機であって、複数の吹出口のうちの一部の吹出口が閉塞された運
転状態において、冷媒ガス漏れが検出されたときに、その一部の吹出口の少なくとも１つ
の吹出口が閉塞された状態から閉塞されない状態に切り換えられるものにおいて、本発明
の効果が得られる。よって、複数の吹出口のうちの一部の吹出口が閉塞された運転状態に
おいて、冷媒ガス漏れが検出されたときに、その一部の吹出口の全ての吹出口が閉塞され
た状態から閉塞されない状態に切り換えられてよいし、その一部の吹出口の１または複数
の吹出口が閉塞された状態から閉塞されない状態に切り換えられてよい。
【００５０】
上記実施形態では、２つの吹出口を有する室内機を備える空気調和機であって、２つの
吹出口のうちの一方の吹出口が閉塞された運転状態において、冷媒ガス漏れが検出された
ときに、その一方の吹出口が閉塞された状態から閉塞されない状態に切り換えられる場合
を説明したが、２つの吹出口のうちの一方の吹出口に向かう流路の開口面積が小さく制限
された運転状態において、冷媒ガス漏れが検出されたときに、その一方の吹出口に向かう
流路の開口面積が大きくなるように制御されるものであってよい。本発明において、吹出
口に向かう流路の開口面積が大きくなるように制御されるとは、室内ファンの回転数が増
加させないで、当該吹出口から吹き出される風量が増加するように、吹出口に向かう流路
の開口面積が増加するように制御されることである。したがって、複数の吹出口を有する
室内機を備える空気調和機であって、複数の吹出口のうちの一部の吹出口に向かう流路の
開口面積が小さく制限された運転状態において、冷媒ガス漏れが検出されたときに、その
一部の吹出口の少なくとも１つの吹出口に向かう流路の開口面積が広げられるものであっ
てよい。よって、調整機構は、吹出口を風が吹き出される吹出可能状態と風が吹き出され
ない吹出不可能状態とを切り換えるものに限られず、吹出口に向かう流路の開口面積を調
整できるものであってよい。
【００５１】
上記実施形態では、室内機の上側吹出口および下側吹出口のうちの下側吹出口にだけ、
風が吹き出される吹出可能状態と風が吹き出されない吹出不可能状態とを切り換える調整
機構が配置される場合を説明したが、調整機構が全ての吹出口に配置されたものであって
よい。したがって、本発明は、室内機が複数の吹出口を有しているときに、複数の吹出口
の少なくとも１つの吹出口に調整機構が配置されたものを含む。
【００５２】
上記実施形態では、２つの吹出口を有する室内機を備える空気調和機であって、２つの
吹出口のうちの一方の吹出口が閉塞された運転状態において、冷媒ガス漏れが検出された
ときに、その一方の吹出口以外の吹出口における風量を増加させるとともに、風向を下方
に変更する場合を説明したが、その一方の吹出口以外の吹出口における風量を増加させな
いものであってよいし、風向を下方に変更しないものであってよい。
【００５３】
上記実施形態では、室内機が床置き型の室内機である場合を説明したが、室内機は床置
き型以外の室内機であってよいし、壁掛けの室内機であってよい。
【産業上の利用可能性】
【００５４】
本発明を利用すれば、漏れた冷媒ガスが室内空間のある部分に局所的に滞留するのを防
止できる。
【符号の説明】
【００５５】
９  冷媒ガス検出センサ
２０  室内機
２０ａ  ケーシング
２２ａ  上側吹出口（吹出口）
２２ｂ  下側吹出口（吹出口）
３０  シャッター（調整機構）
５１  制御部（制御手段）
【図１】
0005939292.tif 000002
【図２】
0005939292.tif 000003
【図３】
0005939292.tif 000004
【図４】
0005939292.tif 000005
【図５】
0005939292.tif 000006
【図６】
0005939292.tif 000007
【図７】
0005939292.tif 000008
【図８】
0005939292.tif 000009